(57)【要約】【課題】複数の画像が並んで配置された表示画像の画質の劣化を抑える画像調整装置、これを含む画像表示システム及び画像調整方法を提供する。【解決手段】複数の画像が並んで配置される表示画像を調整する画像調整装置は、前記複数の画像のうち隣り合う２つの画像それぞれの隣接領域内の端部の測定点における色度成分に対応した画像情報を取得する画像情報取得部と、前記画像情報取得部により取得された前記画像情報に基づいて前記測定点間の色差の評価関数の値が最大又は最小となるように、前記複数の画像の少なくとも１つの画質を調整する制御を行う画質調整制御部とを含む。【選択図】図２
2009237240.tif 000002
【特許請求の範囲】
【請求項１】
複数の画像が並んで配置される表示画像を調整する画像調整装置であって、
前記複数の画像のうち隣り合う２つの画像それぞれの隣接領域内の端部の測定点におけ
る色度成分に対応した画像情報を取得する画像情報取得部と、
前記画像情報取得部により取得された前記画像情報に基づいて前記測定点間の色差の評
価関数の値が最大又は最小となるように、前記複数の画像の少なくとも１つの画質を調整
する制御を行う画質調整制御部とを含むことを特徴とする画像調整装置。
【請求項２】
請求項１において、
前記画質調整制御部は、
前記複数の画像のうち隣り合う２つの画像毎に求められる前記測定点間の色差の総和が
最小となるように前記複数の画像の少なくとも１つの画質を調整する制御を行うことを特
徴とする画像調整装置。
【請求項３】
請求項１において、
前記画質調整制御部は、
前記測定点間の色差の最大値が最小となるように前記複数の画像の少なくとも１つの画
質を調整する制御を行うことを特徴とする画像調整装置。
【請求項４】
請求項１乃至３のいずれかにおいて、
前記画質調整制御部は、
複数の階調を構成する各階調において前記評価関数の値が最大又は最小となるように前
記複数の画像の少なくとも１つの画質を調整する制御を行うことを特徴とする画像調整装
置。
【請求項５】
請求項４において、
前記複数の階調を構成する各階調におけるグレー軸が一致するように前記複数の画像の
少なくとも１つの画質を調整する制御を行うことを特徴とする画像調整装置。
【請求項６】
請求項１乃至５のいずれかにおいて、
前記画像情報取得部は、
前記複数の画像のうち隣り合う２つの画像それぞれの隣接領域内の端部の複数の測定点
における色度成分に対応した画像情報を取得し、
前記画質調整制御部は、
前記画像情報取得部により取得された前記複数の測定点における前記画像情報に基づい
て、前記複数の画像の少なくとも１つの画質を調整する制御を行うことを特徴とする画像
調整装置。
【請求項７】
表示画像を構成する複数の画像を表示する複数の画像表示装置と、
請求項１乃至６のいずれか記載の画像調整装置とを含み、
前記画像調整装置は、
前記複数の画像の少なくとも１つの画質を調整することを特徴とする画像表示システム
。
【請求項８】
複数の画像が並んで配置される表示画像を調整する画像調整方法であって、
前記複数の画像のうち隣り合う２つの画像それぞれの隣接領域内の端部の測定点におけ
る色度成分に対応した画像情報を取得する画像情報取得ステップと、
前記画像情報取得ステップにおいて取得された前記画像情報に基づいて前記測定点間の
色差の評価関数の値が最大又は最小となるように、前記複数の画像の少なくとも１つの画
質を調整する制御を行う画質調整制御ステップとを含むことを特徴とする画像調整方法。
【発明の詳細な説明】
【技術分野】
【０００１】
本発明は、画像調整装置、これを含む画像表示システム及び画像調整方法に関する。
【背景技術】
【０００２】
マルチディスプレイシステムでは、１又は複数の画像表示装置により表示される複数の
画像が隣り合うように配置することで、大画面の画像を表示させたり、一度に複数種類の
画像を表示させたりすることができる。このようなマルチディスプレイシステムの１つと
して、投射型の画像表示装置であるプロジェクタを複数用いたマルチプロジェクタシステ
ムがある。１台のプロジェクタにより構成される一般的なプロジェクタシステムと同様に
、このマルチプロジェクタシステムにおいても表示画像の高画質化の要求が高く、システ
ムを構成する複数のプロジェクタの個々の性能ばらつきを調整することで高画質化を図る
ことが行われている。
【０００３】
例えば特許文献１には、マルチディスプレイ装置の自動調整システムが開示されている
。この特許文献１には、複数個の投射型ディスプレイの前にカメラを配置し、各投射型デ
ィスプレイの画像又は該画像を分割したブロックの中央点の輝度を測定し、測定結果に基
づいて増幅率を制御して各投射型ディスプレイの投射画像の最大輝度等を揃える技術が開
示されている。
【０００４】
【特許文献１】特開平７−６４５２２号公報
【発明の開示】
【発明が解決しようとする課題】
【０００５】
しかしながら、特許文献１では、各投射型ディスプレイの画像又は該画像を分割したブ
ロックの中央点の輝度の測定結果を利用しているため、画像又は該画像を分割したブロッ
クの中心点から離れた画素の輝度が低下するという問題がある。そのため、隣り合った複
数の投射画像により画像を表示させる場合、投射画像間の境界が目立ち画質を劣化させる
。
【０００６】
本発明は、以上のような技術的課題に鑑みてなされたものであり、その目的の１つは、
複数の画像が並んで配置された表示画像の画質の劣化を抑える画像調整装置、これを含む
画像表示システム及び画像調整方法を提供することにある。
【課題を解決するための手段】
【０００７】
上記課題を解決するために本発明は、複数の画像が並んで配置される表示画像を調整す
る画像調整装置であって、前記複数の画像のうち隣り合う２つの画像それぞれの隣接領域
内の端部の測定点における画像情報を取得する画像情報取得部と、前記画像情報取得部に
より取得された前記画像情報に基づいて前記測定点間の評価関数の値が最大又は最小とな
るように、前記複数の画像の少なくとも１つの画質を調整する制御を行う画質調整制御部
とを含む画像調整装置に関係する。
【０００８】
本発明によれば、複数の画像のうち隣り合う２つの画像それぞれの隣接領域内の端部の
測定点における画像情報を取得し、測定点間の評価関数の値が最大又は最小となるように
複数の画像の少なくとも１つの画質を調整する制御を行うようにしたので、複数の画像が
並んで配置された表示画像の画質の劣化を抑えることができるようになる。
【０００９】
また本発明は、複数の画像が並んで配置される表示画像を調整する画像調整装置であっ
て、前記複数の画像のうち隣り合う２つの画像それぞれの隣接領域内の端部の測定点にお
ける色度成分に対応した画像情報を取得する画像情報取得部と、前記画像情報取得部によ
り取得された前記画像情報に基づいて前記測定点間の色差の評価関数の値が最大又は最小
となるように、前記複数の画像の少なくとも１つの画質を調整する制御を行う画質調整制
御部とを含む画像調整装置に関係する。
【００１０】
本発明によれば、複数の画像のうち隣り合う２つの画像それぞれの隣接領域内の端部の
測定点における色度成分に対応した画像情報を取得し、測定点間の色差の評価関数の値が
最大又は最小となるように複数の画像の少なくとも１つの画質を調整する制御を行うよう
にしたので、隣り合う２つの投射画像の輝度及び色度の調整を繰り返すことで最後の投射
画像の調整が不可能になる事態を回避して、このような事態であっても全体として全投射
画像を並んで表示させた表示画像の画質の低下を抑えることができるようになる。
【００１１】
また本発明に係る画像調整装置では、前記画質調整制御部は、前記複数の画像のうち隣
り合う２つの画像毎に求められる前記測定点間の色差の総和が最小となるように前記複数
の画像の少なくとも１つの画質を調整する制御を行うことができる。
【００１２】
本発明によれば、複数の画像を構成する各画像に色むらがある場合に、複数の画像の境
界すべてにおいて色差を「０」にできなくても、複数の画像が並んで配置された表示画像
の画質の劣化を抑えることができるようになる。
【００１３】
また本発明に係る画像調整装置では、前記画質調整制御部は、前記測定点間の色差の最
大値が最小となるように前記複数の画像の少なくとも１つの画質を調整する制御を行うこ
とができる。
【００１４】
本発明によれば、複数の画像を構成する各画像に色むらがある場合に、複数の画像の境
界すべてにおいて色差を「０」にできなくても、複数の画像が並んで配置された表示画像
の画質の劣化を抑えることができるようになる。
【００１５】
また本発明に係る画像調整装置では、前記画質調整制御部は、複数の階調を構成する各
階調において前記評価関数の値が最大又は最小となるように前記複数の画像の少なくとも
１つの画質を調整する制御を行うことができる。
【００１６】
本発明によれば、複数の画像を配置した表示画像において複数種類の画像を表示させた
場合であっても、画像によって画質が低下するという事態を回避できるようになる。
【００１７】
また本発明に係る画像調整装置では、前記複数の階調を構成する各階調におけるグレー
軸が一致するように前記複数の画像の少なくとも１つの画質を調整する制御を行うことが
できる。
【００１８】
本発明によれば、測定点間の評価関数の値を変化させることなく、色合いのみを変更し
て、階調毎に異なる色合いに起因した画質の低下を防止できるようになる。
【００１９】
また本発明に係る画像調整装置では、前記画像情報取得部は、前記複数の画像のうち隣
り合う２つの画像それぞれの隣接領域内の端部の複数の測定点における色度成分に対応し
た画像情報を取得し、前記画質調整制御部は、前記画像情報取得部により取得された前記
複数の測定点における前記画像情報に基づいて、前記複数の画像の少なくとも１つの画質
を調整する制御を行うことができる。
【００２０】
本発明によれば、より高精度に、複数の画像が並んで配置された表示画像の画質の劣化
を抑えることができるようになる。
【００２１】
また本発明は、表示画像を構成する複数の画像を表示する複数の画像表示装置と、上記
のいずれか記載の画像調整装置とを含み、前記画像調整装置は、前記複数の画像の少なく
とも１つの画質を調整する画像表示システムに関係する。
【００２２】
本発明によれば、複数の画像が並んで配置された表示画像の画質の劣化を抑える画像調
整装置が適用された画像表示システムを提供できるようになる。
【００２３】
また本発明は、複数の画像が並んで配置される表示画像を調整する画像調整方法であっ
て、前記複数の画像のうち隣り合う２つの画像それぞれの隣接領域内の端部の測定点にお
ける色度成分に対応した画像情報を取得する画像情報取得ステップと、前記画像情報取得
ステップにおいて取得された前記画像情報に基づいて前記測定点間の色差の評価関数の値
が最大又は最小となるように、前記複数の画像の少なくとも１つの画質を調整する制御を
行う画質調整制御ステップとを含む画像調整方法に関係する。
【００２４】
本発明によれば、複数の画像のうち隣り合う２つの画像それぞれの隣接領域内の端部の
測定点における色度成分に対応した画像情報を取得し、測定点間の色差の評価関数の値が
最大又は最小となるように複数の画像の少なくとも１つの画質を調整する制御を行うよう
にしたので、隣り合う２つの投射画像の輝度及び色度の調整を繰り返すことで最後の投射
画像の調整が不可能になる事態を回避して、このような事態であっても全体として全投射
画像を並んで表示させた表示画像の画質の低下を抑えることができるようになる。
【発明を実施するための最良の形態】
【００２５】
以下、本発明の実施の形態について図面を用いて詳細に説明する。なお、以下に説明す
る実施の形態は、特許請求の範囲に記載された本発明の内容を不当に限定するものではな
い。また以下で説明される構成のすべてが本発明の必須構成要件であるとは限らない。
【００２６】
以下では、本発明に係る画像表示装置としてプロジェクタを例に説明するが、本発明は
これに限定されるものではない。
【００２７】
〔実施形態１〕
本発明に係る画像表示システムは、以下に示すように、投射型の画像表示装置としての
プロジェクタを複数台用い、各プロジェクタによるスクリーンへの投射画像を並べて配置
することより画像を表示するマルチプロジェクタシステムである。
【００２８】
図１に、本発明に係る実施形態１におけるマルチプロジェクタシステムの構成例を示す
。図１では、マルチプロジェクタシステムが４台のプロジェクタにより構成されるが、本
実施形態はプロジェクタの台数に限定されるものではなく、Ｎ（Ｎは２以上の自然数）台
のプロジェクタにより構成されていればよい。
【００２９】
実施形態１におけるマルチプロジェクタシステム１０は、第１〜第４のプロジェクタＰ
Ｊ１〜ＰＪ４と、画像調整装置２００と、画像測定部３００とを含む。第１〜第４のプロ
ジェクタＰＪ１〜ＰＪ４は、スクリーンＳＣＲに画像を投射して第１〜第４の投射画像Ｉ
ＭＧ１〜ＩＭＧ４（広義には画像）を表示させる。そして、第１〜第４のプロジェクタＰ
Ｊ１〜ＰＪ４を構成する各プロジェクタによるスクリーンＳＣＲへの投射画像が隣り合う
ように並べて表示させることで、画像を表示する。
【００３０】
第１〜第４の投射画像ＩＭＧ１〜ＩＭＧ４を構成する各投射画像は、互いに隣の画像と
その境界部が接するように表示されてもよいし、隣の画像と所与の間隔を置いて表示され
てもよい。また、図１では、第１〜第４の投射画像ＩＭＧ１〜ＩＭＧ４が、水平方向（横
方向、左右方向）に２画像、垂直方向（縦方向、上下方向）に２画像が並んで表示されて
いる例を示しているが、１つの方向に並ぶ画像数に本実施形態が限定されるものではない
。
【００３１】
第１〜第４のプロジェクタＰＪ１〜ＰＪ４は、それぞれ同様の構成を有してもよいが、
互いに異なる構成であってもよい。但し、第１〜第４のプロジェクタＰＪ１〜ＰＪ４を構
成する各プロジェクタは、画面全体の輝度及び色度を調整する機能を有する。
【００３２】
画像調整装置２００は、第１〜第４のプロジェクタＰＪ１〜ＰＪ４により投射された第
１〜第４の投射画像ＩＭＧ１〜ＩＭＧ４の画像の輝度及び色度を調整する。そのため、画
像調整装置２００は、画像の輝度及び色度を調整する調整パラメータを算出して、第１〜
第４のプロジェクタＰＪ１〜ＰＪ４の少なくとも１つに対して該調整パラメータを送信す
ることができる。調整パラメータを受信したプロジェクタは、該調整パラメータに基づい
て画面全体の輝度及び色度を調整する。このような画像調整装置２００は、画像測定部３
００による投射画像の測定結果を用いて調整パラメータを算出する。
【００３３】
画像測定部３００は、プロジェクタによるスクリーンＳＣＲへの投射画像を測定し、そ
の測定結果を画像情報として画像調整装置２００に出力できる。画像測定部３００は、マ
ルチプロジェクタシステム１０において１つだけ設けられていてもよいし、プロジェクタ
毎に設けられていてもよい。画像測定部３００の機能は、例えばデジタルカメラ、色彩計
、測色器等により実現されるが、画像測定部３００は、投射画像を構成する１画素分の輝
度等の画像情報が測定できればよい。
【００３４】
以上のようなマルチプロジェクタシステム１０では、画像調整装置２００において、隣
り合う２つの投射画像それぞれの隣接領域（境界領域）内の測定点（測定画素）における
色度成分に対応した画像情報を取得し、測定点間の評価関数の値が最大又は最小となるよ
うに、第１〜第４のプロジェクタＰＪ１〜ＰＪ４の少なくとも１つの画質を調整する制御
を行う。より具体的には、測定点間の色差の評価関数の値が最大又は最小となるように、
第１〜第４のプロジェクタＰＪ１〜ＰＪ４の少なくとも１つの画質を調整する制御を行う
。こうすることで、複数の画像が並んで配置された表示画像の画質の劣化を抑えることが
できるようになる。更に、各プロジェクタの投射画像に色むらがあり、隣り合う２つの投
射画像毎に画質を調整する場合に比べて、複数の投射画像間の色差をより小さくでき、複
数の投射画像による表示画像の画質の低下を抑えることができるようになる。
【００３５】
次に、このようなマルチプロジェクタシステム１０を構成する各装置について、詳細に
説明する。
【００３６】
図２に、実施形態１におけるマルチプロジェクタシステム１０の構成例のブロック図を
示す。図２において、プロジェクタの台数がＮ台であるものとする。即ち、図１は図２に
おいてＮが「４」の場合の構成図に相当とする。なお、図２において、図１と同一の部分
には同一の符号を付し、適宜説明を省略する。図２では、第１〜第ＮのプロジェクタＰＪ
１〜ＰＪＮの各プロジェクタの構成が同一であるものとし、画像調整装置２００が各プロ
ジェクタに画像データを供給するものとして説明する。
【００３７】
第１のプロジェクタＰＪ１は、画像表示部１００、輝度色度調整部１８０、画像データ
入力部１９０を含む。画像データ入力部１９０は、画像調整装置２００からの画像データ
の受信インタフェース処理を行い、画像信号として出力する。この受信インタフェース処
理としては、物理層の信号レベルの変換処理やプログレッシブ変換処理を含む。輝度色度
調整部１８０は、画像調整装置２００からの調整パラメータに基づいて、画像データ入力
部１９０からの画像信号を補正し、補正後の画像信号を画像表示部１００に出力する。画
像表示部１００は、輝度色度調整部１８０により調整（補正）された画像信号に基づいて
光源からの光の変調率を異ならせて、変調後の光をスクリーンＳＣＲに投射する。
【００３８】
図３に、図２の輝度色度調整部１８０の構成例のブロック図を示す。図３において、図
２と同一部分には同一符号を付し、適宜説明を省略する。
【００３９】
輝度色度調整部１８０は、調整パラメータ記憶部１８２、信号変換部１８４を含む。調
整パラメータ記憶部１８２は、画像調整装置２００からの調整パラメータを記憶する。信
号変換部１８４は、調整パラメータ記憶部１８２に記憶された調整パラメータに基づいて
、画像データ入力部１９０からの画像信号を補正し、補正後の画像信号を画像表示部１０
０に出力する。
【００４０】
例えば、画像データで表現可能な全階調についての調整パラメータを調整パラメータ記
憶部１８２に記憶しておき、信号変換部１８４は、画像信号により指定される階調に対応
した調整パラメータに基づいて、補正前の画像信号を補正することができる。或いは、例
えば、画像データで表現可能な全階調のうち離散的にいくつかの調整パラメータを調整パ
ラメータ記憶部１８２に記憶しておき、信号変換部１８４は、画像信号により指定される
階調に対応した調整パラメータ又は調整パラメータ記憶部１８２に記憶された調整パラメ
ータを補間して得られた調整パラメータに基づいて、補正前の画像信号を補正することが
できる。
【００４１】
図４に、図２の画像表示部１００の構成例を示す。図４では、第１のプロジェクタＰＪ
１の画像表示部１００が、いわゆる３板式の構成例を示しているが、本発明に係る画像表
示部が、いわゆる３板式のものに限定されるものではない。図２の第２〜第Ｎのプロジェ
クタＰＪ２〜ＰＪＮも図４と同様の構成の画像表示部を有することができる。
【００４２】
画像表示部１００は、光源１１０、インテグレータレンズ１１２、１１４、偏光変換素
子１１６、重畳レンズ１１８、Ｒ用ダイクロイックミラー１２０Ｒ、Ｇ用ダイクロイック
ミラー１２０Ｇ、反射ミラー１２２、Ｒ用フィールドレンズ１２４Ｒ、Ｇ用フィールドレ
ンズ１２４Ｇ、光変調素子１３０、リレー光学系１４０、クロスダイクロイックプリズム
（広義には光合成手段）１６０、投射レンズ１７０（広義には投射部）を含む。図４では
、３板式であるため、光変調素子１３０として、Ｒ用液晶パネル１３０Ｒ（第１の光変調
部）、Ｇ用液晶パネル１３０Ｇ（第２の光変調部）、Ｂ用液晶パネル１３０Ｂ（第３の光
変調部）が採用される。Ｒ用液晶パネル１３０Ｒ、Ｇ用液晶パネル１３０Ｇ及びＢ用液晶
パネル１３０Ｂとして用いられる液晶パネルは、透過型の液晶表示装置である。リレー光
学系１４０は、リレーレンズ１４２、１４４、１４６、反射ミラー１４８、１５０を含む
。
【００４３】
光源１１０は、例えば超高圧水銀ランプにより構成され、少なくともＲ成分の光、Ｇ成
分の光、Ｂ成分の光を含む光を射出する。光源１１０は、例えば輝度色度調整部１８０又
は第１のプロジェクタＰＪ１内の図示しない光源駆動部から光源制御信号により駆動制御
される。インテグレータレンズ１１２は、光源１１０からの光を複数の部分光に分割する
ための複数の小レンズを有する。インテグレータレンズ１１４は、インテグレータレンズ
１１２の複数の小レンズに対応する複数の小レンズを有する。重畳レンズ１１８は、イン
テグレータレンズ１１２の複数の小レンズから射出される部分光を重畳する。
【００４４】
また偏光変換素子１１６は、偏光分離膜とλ／２板とを有し、ｐ偏光を透過させると共
にｓ偏光を反射させ、ｐ偏光をｓ偏光に変換する。この偏光変換素子１１６からのｓ偏光
が、重畳レンズ１１８に照射される。
【００４５】
重畳レンズ１１８によって重畳された光は、Ｒ用ダイクロイックミラー１２０Ｒに入射
される。Ｒ用ダイクロイックミラー１２０Ｒは、Ｒ成分の光を反射して、Ｇ成分及びＢ成
分の光を透過させる機能を有する。Ｒ用ダイクロイックミラー１２０Ｒを透過した光は、
Ｇ用ダイクロイックミラー１２０Ｇに照射され、Ｒ用ダイクロイックミラー１２０Ｒによ
り反射した光は反射ミラー１２２により反射されてＲ用フィールドレンズ１２４Ｒに導か
れる。
【００４６】
Ｇ用ダイクロイックミラー１２０Ｇは、Ｇ成分の光を反射して、Ｂ成分の光を透過させ
る機能を有する。Ｇ用ダイクロイックミラー１２０Ｇを透過した光は、リレー光学系１４
０に入射され、Ｇ用ダイクロイックミラー１２０Ｇにより反射した光はＧ用フィールドレ
ンズ１２４Ｇに導かれる。
【００４７】
リレー光学系１４０では、Ｇ用ダイクロイックミラー１２０Ｇを透過したＢ成分の光の
光路長と他のＲ成分及びＧ成分の光の光路長との違いをできるだけ小さくするために、リ
レーレンズ１４２、１４４、１４６を用いて光路長の違いを補正する。リレーレンズ１４
２を透過した光は、反射ミラー１４８によりリレーレンズ１４４に導かれる。リレーレン
ズ１４４を透過した光は、反射ミラー１５０によりリレーレンズ１４６に導かれる。リレ
ーレンズ１４６を透過した光は、Ｂ用液晶パネル１３０Ｂに照射される。
【００４８】
Ｒ用フィールドレンズ１２４Ｒに照射された光は、平行光に変換されてＲ用液晶パネル
１３０Ｒに入射される。Ｒ用液晶パネル１３０Ｒは、光変調素子（光変調部）として機能
し、Ｒ用画像信号に基づいて透過率（通過率、変調率）が変化するようになっている。従
って、Ｒ用液晶パネル１３０Ｒに入射された光（第１の色成分の光）は、Ｒ用画像信号に
基づいて変調され、変調後の光がクロスダイクロイックプリズム１６０に入射される。
【００４９】
Ｇ用フィールドレンズ１２４Ｇに照射された光は、平行光に変換されてＧ用液晶パネル
１３０Ｇに入射される。Ｇ用液晶パネル１３０Ｇは、光変調素子（光変調部）として機能
し、Ｇ用画像信号に基づいて透過率（通過率、変調率）が変化するようになっている。従
って、Ｇ用液晶パネル１３０Ｇに入射された光（第２の色成分の光）は、Ｇ用画像信号に
基づいて変調され、変調後の光がクロスダイクロイックプリズム１６０に入射される。
【００５０】
リレーレンズ１４２、１４４、１４６で平行光に変換された光が照射されるＢ用液晶パ
ネル１３０Ｂは、光変調素子（光変調部）として機能し、Ｂ用画像信号に基づいて透過率
（通過率、変調率）が変化するようになっている。従って、Ｂ用液晶パネル１３０Ｂに入
射された光（第３の色成分の光）は、Ｂ用画像信号に基づいて変調され、変調後の光がク
ロスダイクロイックプリズム１６０に入射される。
【００５１】
Ｒ用液晶パネル１３０Ｒ、Ｇ用液晶パネル１３０Ｇ及びＢ用液晶パネル１３０Ｂは、輝
度色度調整部１８０により調整された画像信号により、色成分毎に独立して変調率が制御
される。
【００５２】
光合成手段としてのクロスダイクロイックプリズム１６０は、Ｒ用液晶パネル１３０Ｒ
、Ｇ用液晶パネル１３０Ｇ及びＢ用液晶パネル１３０Ｂからの入射光を合成した合成光を
出射光として出力する機能を有する。投射部としての投射レンズ１７０は、出力画像をス
クリーンＳＣＲ上に拡大して結像させるレンズである。
【００５３】
以上のような構成により、第１のプロジェクタＰＪ１は、画像調整装置２００からの調
整パラメータを受けて、該調整パラメータに基づいて第１の投射画像ＩＭＧ１の画面全体
の輝度及び色度を調整することができる。同様に、図２の第２〜第ＮのプロジェクタＰＪ
２〜ＰＪＮは、それぞれ、スクリーンＳＣＲに第２〜第Ｎの投射画像ＩＭＧ２〜ＩＭＧＮ
を投射し、各投射画像の画面全体の輝度及び色度を調整することができる。
【００５４】
次に、上記のような構成を有するプロジェクタに調整パラメータを出力する画像調整装
置２００について説明する。
【００５５】
画像調整装置２００は、図２に示すように、画像データ生成部２１０、測定データ解析
部２２０（広義には画像情報取得部）、画質調整制御部２３０を含む。
【００５６】
画像データ生成部２１０は、コンテンツ画像に対応した画像データを生成し、第１〜第
ＮのプロジェクタＰＪ１〜ＰＪＮのそれぞれに画像データを出力する。この画像データ生
成部２１０は、第１〜第ＮのプロジェクタＰＪ１〜ＰＪＮに対して同じ画像データを出力
するようにしてもよいし、投射画像を隣り合わせて表示させたときに投射した画像が連結
されるような画像データを各プロジェクタに出力するようにしてもよい。また、画像デー
タ生成部２１０は、第１〜第ＮのプロジェクタＰＪ１〜ＰＪＮに対して、それぞれ異なる
画像データを出力してもよい。このような画像データ生成部２１０の機能は、画像調整装
置２００の外部に設けられてもよいし、プロジェクタ毎に設けられてもよい。
【００５７】
測定データ解析部２２０は、画像測定部３００によって測定された投射画像の測定結果
を解析して、画像測定部３００やプロジェクタの分光特性の違いに依存することなく定量
的に表現できる補正（調整）基準値となる測定値を生成する。ここで、画像測定部３００
による投射画像の測定結果は、投射画像内の測定点における色度成分に対応した画像情報
である。このため、測定データ解析部２２０は、画像測定部３００による測定結果を所与
の色空間の色座標に変換した測定値を生成する。より具体的には、測定データ解析部２２
０は、画像測定部３００による測定結果に対応したＣＩＥ表色系の値を測定値として出力
する。このようなＣＩＥ表色系の値としては、ＸＹＺ表色系（ＣＩＥ １９３１ 表色系）
の値、Ｘ１０Ｙ１０Ｚ１０表色系（ＣＩＥ １９６４ 表色系）の値、ＸＹＺ表色系での色
度座標（ｘ，ｙ）、Ｘ１０Ｙ１０Ｚ１０表色系での色度座標（ｘ１０，ｙ１０）、ＣＩＥ
ＬＡＢ色空間（ＣＩＥ １９７６ Ｌ＊ａ＊ｂ＊色空間）の明度や色座標、ＣＩＥＬＵＶ色
空間（ＣＩＥ １９７６ Ｌ＊ｕ＊ｖ＊色空間）の明度や色座標等がある。以下では、測定
データ解析部２２０は、画像測定部３００による測定結果に対応したＸＹＺ表色系の値を
出力するものとする。
【００５８】
図５に、図２の画質調整制御部２３０の構成例のブロック図を示す。
【００５９】
画質調整制御部２３０は、評価関数処理部２３２と、グレー軸調整部２３４と、調整パ
ラメータ算出部２３６とを含む。
【００６０】
評価関数処理部２３２は、測定データ解析部２２０からの測定値に基づいて、隣り合う
２つの投射画像の測定点間の色差の評価関数の値を求める。調整パラメータ算出部２３６
は、評価関数処理部２３２により算出された評価関数の値が最大又は最小となるように、
第１〜第ＮのプロジェクタＰＪ１〜ＰＪＮの少なくとも１つの画質を調整するように各プ
ロジェクタ用の調整パラメータを生成する。例えば、評価関数処理部２３２が隣り合う２
つの投射画像の測定点間の色差の評価関数の値を求めるとき、調整パラメータ算出部２３
６は、この色差の評価関数の値が最大又は最小となるように、複数の投射画像の少なくと
も１つの画質を調整する制御を行うための各プロジェクタ用の調整パラメータを算出する
。
【００６１】
グレー軸調整部２３４は、第１〜第ＮのプロジェクタＰＪ１〜ＰＪＮ用の調整パラメー
タが一旦求められた後、調整後の投射画像の色合いを揃えるために、各プロジェクタによ
る投射画像のグレー軸が一致するように調整する。画質調整制御部２３０は、グレー軸調
整部２３４によりグレー軸が一致するように調整された後の調整パラメータを各プロジェ
クタに出力する。
【００６２】
このように、画質調整制御部２３０は、測定データ解析部２２０からの測定値を用いて
、各プロジェクタの輝度色度調整部の機能に対応したパラメータを算出して各プロジェク
タによる画像の調整を制御する。例えば各プロジェクタの輝度色度調整部がＲＧＢの各色
成分毎に調整できる場合には、画質調整制御部２３０は、ＲＧＢの各色成分毎に画像信号
を補正するための調整パラメータを算出する。また、例えば各プロジェクタの輝度色度調
整部が明度及び色差を調整できる場合には、画質調整制御部２３０は、ＣＩＥＬＵＶ色空
間の明度及び色座標（ＬＵＶ）を補正する調整パラメータを算出する。以下では、画質調
整制御部２３０が、ＣＩＥＬＵＶ色空間の明度及び色座標（ＬＵＶ）を補正する調整パラ
メータを算出するものとする。
【００６３】
以上のような構成を有する画像調整装置２００は、隣り合う２つの投射画像の境界が目
立たないように、この２つの投射画像を含む第１〜第Ｎの投射画像の少なくとも１つの画
像の画質を調整する制御を行う。以下では、互いに隣り合う２つの投射画像の境界が目立
たないように調整する過程を説明することで、画像調整装置２００の動作を説明する。
【００６４】
図６に、実施形態１におけるマルチプロジェクタシステム１０の原理的な構成を示す。
図６は、図１のマルチプロジェクタシステム１０を模式的に表しており、図１と同一部分
には同一符号を付し、適宜説明する。
【００６５】
図６に示すマルチプロジェクタシステムは、上記の画像調整装置２００と、第１〜第４
のプロジェクタＰＪ１〜ＰＪ４と、画像測定部３００とを含むことができる。
【００６６】
従って、図６のマルチプロジェクタシステム１０では、第１のプロジェクタＰＪ１が第
１の投射画像ＩＭＧ１を投射し、第２のプロジェクタＰＪ２が第２の投射画像ＩＭＧ２を
投射し、第３のプロジェクタＰＪ３が第３の投射画像ＩＭＧ３を投射し、第４のプロジェ
クタＰＪ４が第４の投射画像ＩＭＧ４を投射している。そして、画像測定部３００として
のカメラが、第１〜第４の投射画像ＩＭＧ１〜ＩＭＧ４のうち隣り合う２つの投射画像そ
れぞれの隣接領域内の測定点を測定する。図１のように第１〜第４の投射画像ＩＭＧ１〜
ＩＭＧ４が並んで表示される場合、画像測定部３００としてのカメラは、第１及び第２の
投射画像ＩＭＧ１、ＩＭＧ２それぞれの隣接領域内の測定点、第２及び第４の投射画像Ｉ
ＭＧ２、ＩＭＧ４それぞれの隣接領域内の測定点、第１及び第３の投射画像ＩＭＧ１、Ｉ
ＭＧ３それぞれの隣接領域内の測定点を測定する。
【００６７】
画像調整装置２００は、画像測定部３００の測定結果に基づいて第１〜第４のプロジェ
クタＰＪ１〜ＰＪ４のうち少なくとも一方の投射画像の画面全体の輝度及び色度を調整し
ている。
【００６８】
図７に、図６の画像調整装置２００の処理例のフロー図を示す。図６の画像調整装置２
００は、図示しない中央演算処理装置（Central Processing Unit：ＣＰＵ)及びメモリを
有し、該メモリに記憶されたプログラムを読み込んで実行したＣＰＵにより、画像調整装
置２００の各部の機能が実現される。即ち、図７に示す処理方法を実現するためのプログ
ラムが図示しないメモリに格納されており、ＣＰＵが該メモリに格納されたプログラムを
読み出して該プログラムに対応した処理を実行することで、図７に示す処理をソフトウェ
ア処理により実現できる。
【００６９】
まず、画像情報取得ステップとして、画像調整装置２００は、画像情報取得部としての
測定データ解析部２２０により、画像測定部３００からの測定データにより、第１及び第
２の投射画像ＩＭＧ１、ＩＭＧ２それぞれの隣接領域内の両測定点、第２及び第４の投射
画像ＩＭＧ２、ＩＭＧ４それぞれの隣接領域内の両測定点、第１及び第３の投射画像ＩＭ
Ｇ１、ＩＭＧ３それぞれの隣接領域内の両測定点における色度成分に対応した画像情報を
取得する（ステップＳ１０）。
【００７０】
図８に、図６の第１〜第４の投射画像ＩＭＧ１〜ＩＭＧ４の測定点の例を模式的に示す
。図８では、第１〜第４の投射画像ＩＭＧ１〜ＩＭＧ４を正面から見たイメージを示して
いる。
【００７１】
即ち、ステップＳ１０では、測定データ解析部２２０（画像情報取得部）の機能により
、複数の投射画像のうち隣り合う２つの投射画像それぞれの境界領域内の端部の測定点に
おける色度成分に対応した画像情報を取得する。図８では、隣り合う第１及び第２の投射
画像ＩＭＧ１、ＩＭＧ２については、第１の投射画像ＩＭＧ１の境界領域のうち第２の投
射画像ＩＭＧ２と隣接する境界領域（隣接領域）内の測定点Ｐ１ｂと、第２の投射画像Ｉ
ＭＧ２の境界領域のうち第１の投射画像ＩＭＧ１と隣接する境界領域（隣接領域）内の測
定点Ｐ２ｂにおける色度成分に対応した画像情報が取得される。
【００７２】
同様に、隣り合う第２及び第４の投射画像ＩＭＧ２、ＩＭＧ４については、第２の投射
画像ＩＭＧ２の境界領域のうち第４の投射画像ＩＭＧ４と隣接する境界領域（隣接領域）
内の測定点Ｐ２ａと、第４の投射画像ＩＭＧ４の境界領域のうち第２の投射画像ＩＭＧ２
と隣接する境界領域（隣接領域）内の測定点Ｐ４ａにおける色度成分に対応した画像情報
が取得される。
【００７３】
更に、隣り合う第３及び第４の投射画像ＩＭＧ３、ＩＭＧ４については、第３の投射画
像ＩＭＧ３の境界領域のうち第４の投射画像ＩＭＧ４と隣接する境界領域（隣接領域）内
の測定点Ｐ３ｂと、第４の投射画像ＩＭＧ４の境界領域のうち第３の投射画像ＩＭＧ３と
隣接する境界領域（隣接領域）内の測定点Ｐ４ｂにおける色度成分に対応した画像情報が
取得される。
【００７４】
更にまた、隣り合う第１及び第３の投射画像ＩＭＧ１、ＩＭＧ３については、第１の投
射画像ＩＭＧ１の境界領域のうち第３の投射画像ＩＭＧ３と隣接する境界領域（隣接領域
）内の測定点Ｐ１ａと、第３の投射画像ＩＭＧ３の境界領域のうち第１の投射画像ＩＭＧ
１と隣接する境界領域（隣接領域）内の測定点Ｐ３ａにおける色度成分に対応した画像情
報が取得される。
【００７５】
図８の示すような測定点における画像情報を取得する際に、第１〜第４のプロジェクタ
ＰＪ１〜ＰＪ４の各プロジェクタに、Ｒ成分以外のＧ成分及びＢ成分の階調値が「０」の
画像を表示させた状態（図６のＴ１）で、画像測定部３００が図８の８個の測定点を測定
し、測定データ解析部２２０において、ＸＹＺ表色系の値ＸＲ、ＹＲ、ＺＲのうち値ＸＲ
を取り出す（図６のＴ２）。次に、第１〜第４のプロジェクタＰＪ１〜ＰＪ４の各プロジ
ェクタに、Ｇ成分以外のＲ成分及びＢ成分の階調値が「０」の画像を表示させた状態（図
６のＴ１）で、画像測定部３００が図８の８個の測定点を測定し、測定データ解析部２２
０において、ＸＹＺ表色系の値ＸＧ、ＹＧ、ＺＧのうち値ＹＧを取り出す（図６のＴ２）
。同様に、第１〜第４のプロジェクタＰＪ１〜ＰＪ４の各プロジェクタに、Ｂ成分以外の
Ｒ成分及びＧ成分の階調値が「０」の画像を表示させた状態（図６のＴ１）で、画像測定
部３００が図８の８個の測定点を測定し、測定データ解析部２２０において、ＸＹＺ表色
系の値ＸＢ、ＹＢ、ＺＢのうち値ＺＢを取り出す（図６のＴ２）。このような処理を、Ｒ
ＧＢの色成分毎に、全階調のうちいくつかの階調で繰り返す。
【００７６】
図７のステップＳ１０に続いて、画質調整制御ステップとして、画像調整装置２００で
は、画質調整制御部２３０の機能により、測定データ解析部２２０からの画像情報を用い
た評価関数に基づいて各プロジェクタ用の調整パラメータを算出し（ステップＳ１２）、
算出した調整パラメータを各プロジェクタに送信（図６のＴ３）して（ステップＳ１４）
、一連の処理を終了する（エンド）。
【００７７】
即ち、ステップＳ１２では、画質調整制御部２３０は、隣り合う投射画像それぞれの測
定点間の色差の評価関数の値が最大又は最小となるように、第１〜第４のプロジェクタＰ
Ｊ１〜ＰＪ４の少なくとも１つの投射画像全体の輝度及び色度を調整する制御を行う。画
質調整制御部２３０は、各プロジェクタ用の調整パラメータを出力することで、各投射画
像の画質を調整する制御を行う。
【００７８】
図９に、画質調整制御部２３０の調整パラメータ算出部２３６の処理内容の説明図を示
す。図９は、画像信号のＲ成分の入力値に対するＸＹＺ表色系の値ＸＲの測定値が変化す
る様子の一例を表す。画像信号のＧ成分の入力値に対するＸＹＺ表色系の値ＹＧの測定値
や、画像信号のＢ成分の入力値に対するＸＹＺ表色系の値ＺＢの測定値の変化も、図９と
同様である。
図１０に、調整パラメータ算出部２３６における具体的な処理内容の説明図を示す。
【００７９】
画質調整制御部２３０の調整パラメータ算出部２３６は、２つの投射画像の輝度及び色
度を調整する調整パラメータを変動させることを繰り返すことで、全投射画像の調整に最
適な調整パラメータを算出する。
【００８０】
以下では、調整パラメータ算出部２３６が第１及び第２のプロジェクタＰＪ１、ＰＪ２
の投射画像を調整する制御を行うために第１のプロジェクタＰＪ１による第２の投射画像
ＩＭＧ２を調整するものとする。その他の２つの投射画像間の調整も同様に行うことがで
きる。
【００８１】
図９に示すように、第１及び第２のプロジェクタＰＪ１、ＰＪ２の測定点における測定
値がプロジェクタにより異なることがある。そこで、調整パラメータ算出部２３６は、画
像信号のＲ成分の入力値Ｒｉｎが第２のプロジェクタＰＪ２の第２の測定点Ｐ２ｂの測定
値Ｘｏｕｔと一致する第１のプロジェクタＰＪ１のＲ成分の入力値Ｒｉｎ´を算出する。
そして、調整パラメータ算出部２３６は、第１のプロジェクタＰＪ１において、入力値が
Ｒｉｎのときに入力値Ｒｉｎ´を出力するように補正するための調整パラメータを求めて
、該パラメータを第１のプロジェクタＰＪ１に出力する。同様に、Ｇ成分及びＢ成分につ
いても、パラメータを求めて、第１のプロジェクタＰＪ１に出力する。
【００８２】
このパラメータは、例えば図１０に示す変換式を変形することで、Ｒ成分の入力値Ｒｉ
ｎ、Ｇ成分の入力値Ｇｉｎ、Ｂ成分の入力値Ｂｉｎに対応した、第１のプロジェクタＰＪ
１による第１の投射画像ＩＭＧ１のＣＩＥＬＵＶ色空間の明度及び色座標（Ｌ、Ｕ、Ｖ）
として求められる。従って、この明度及び色座標を実現するための調整パラメータを第１
のプロジェクタＰＪ１に出力すればよい。
【００８３】
なお、上記では第１のプロジェクタＰＪ１に対してのみパラメータを送信するものとし
て説明したが、両測定点の輝度及び色度を一致させるために第１及び第２のプロジェクタ
ＰＪ１、ＰＪ２の両方にパラメータを送信するようにしてもよい。
【００８４】
以上のように、境界領域内の測定点における画像情報を所与の色空間の色座標に変換し
た後に、調整パラメータ算出部２３６は、投射画像全体の輝度及び色度を調整するパラメ
ータを算出する。
【００８５】
なお、第１及び第２の投射画像ＩＭＧ１、ＩＭＧ２内の第１及び第２の測定点Ｐ１、Ｐ
２は、それぞれ投射画像内の端部（境界部）に近いことが望ましいが、本発明が、投射画
像内の測定点の位置に限定されるものではない。投射画像内において設けられる境界領域
内の測定点の位置であればよい。
【００８６】
続いて、各プロジェクタの調整パラメータを算出する図７のステップＳ１２の処理例に
ついて詳細に説明する。
【００８７】
図１１に、図７のステップＳ１２の詳細な処理例のフロー図を示す。図６の画像調整装
置２００では、図１１に示す処理方法を実現するためのプログラムが図示しないメモリに
格納されており、ＣＰＵが該メモリに格納されたプログラムを読み出して該プログラムに
対応した処理を実行することで、図１１に示す処理をソフトウェア処理により実現できる
。
【００８８】
まず、画像調整装置２００における画質調整制御部２３０の調整パラメータ算出部２３
６は、変数ｉ（ｉは自然数）を初期化し、例えば変数ｉに「１」を設定する（ステップＳ
２０）。次に、調整パラメータ算出部２３６は、画像信号により表現可能な全階調のうち
第ｉの階調における測定値の評価関数に基づいて調整パラメータを算出する（ステップＳ
２２）。
【００８９】
続いて、調整パラメータ算出部２３６は、変数ｉをインクリメントする（ステップＳ２
４）。
【００９０】
そして、インクリメント後の変数ｉの値がＬ（Ｌは２以上の自然数）より以下のとき（
ステップＳ２６：Ｎ）、画質調整制御部２３０は、調整パラメータ算出部２３６において
、ステップＳ２２に戻って、次の階調において調整パラメータを算出する。ここで、Ｌは
、調整対象の階調数であり、例えばＬを「５」とすることができる。これにより、画像調
整装置２００の画質調整制御部２３０は、複数の階調を構成する各階調において、測定値
の評価関数の値が最大又は最小となるように複数の画像の少なくとも１つの画質を調整す
る制御を行うことができる。こうすることで、各プロジェクタにより複数種類の投影画像
を表示させた場合であっても、画像によって画質が低下するという事態を回避できるよう
になる。
【００９１】
ステップＳ２６において、インクリメント後の変数ｉの値がＬより大きいとき（ステッ
プＳ２６：Ｙ）、画像調整装置２００は、グレー軸調整部２３４において、グレー軸調整
処理を行い（ステップＳ２８）、一連の処理を終了する（エンド）。
【００９２】
ここで、測定点間の色差の評価関数の値が最大又は最小となるように各階調における調
整パラメータを算出した場合、階調毎に色合いが異なることがある。そこで、ステップＳ
２８のグレー軸調整処理において、調整対象である複数の階調を構成する各階調において
グレー軸が一致するように調整パラメータを揃える。その結果、測定点間の色差の評価関
数の値を変化させることなく、色合いのみを変更して、階調毎に異なる色合いに起因した
画質の低下を防止できるようになる。
【００９３】
続いて、図１１のステップＳ２２の処理例について詳細に説明する。
【００９４】
図１２に、図１１のステップＳ２２の詳細な処理例のフロー図を示す。図６の画像調整
装置２００では、図１２に示す処理方法を実現するためのプログラムが図示しないメモリ
に格納されており、ＣＰＵが該メモリに格納されたプログラムを読み出して該プログラム
に対応した処理を実行することで、図１２に示す処理をソフトウェア処理により実現でき
る。
【００９５】
画像調整装置２００における画質調整制御部２３０は、画像表示システムを構成するプ
ロジェクタ毎に、調整パラメータの算出処理を行う。このとき、画質調整制御部２３０は
、各プロジェクタ用の調整パラメータの算出処理の処理結果の最適値を求めるために、各
プロジェクタの調整パラメータの算出処理を回帰的に行う。
【００９６】
即ち、画質調整制御部２３０は、評価関数処理部２３２又は調整パラメータ算出部２３
６において、まず、第１のプロジェクタＰＪ１用の調整パラメータの算出処理を行う（ス
テップＳ３０）。次に、画質調整制御部２３０は、評価関数処理部２３２又は調整パラメ
ータ算出部２３６において、第２のプロジェクタＰＪ２用の調整パラメータの算出処理を
行う（ステップＳ３２）。続いて、画質調整制御部２３０は、評価関数処理部２３２又は
調整パラメータ算出部２３６において、第３のプロジェクタＰＪ３用の調整パラメータの
算出処理を行う（ステップＳ３４）。そして次に、画質調整制御部２３０は、評価関数処
理部２３２又は調整パラメータ算出部２３６において、第４のプロジェクタＰＪ４用の調
整パラメータの算出処理を行う（ステップＳ３６）。ステップＳ３０、ステップＳ３２、
ステップＳ３４、ステップＳ３６における各調整パラメータ算出処理は、調整対象の投射
画像の測定点が異なるのみで処理内容は同様である。
【００９７】
次に、調整パラメータ算出部２３６は、図示しないバッファにバッファリングされた各
プロジェクタ用の調整パラメータを、ステップＳ３０、ステップＳ３２、ステップＳ３４
、ステップＳ３６で求めた各プロジェクタ用の調整パラメータで更新する（ステップＳ３
８）。そして、調整パラメータ算出部２３６は、ステップＳ３８で更新されたバッファの
格納値の変化を検出し、バッファの格納値が更新前と更新後で変化したか否か、或いは更
新前後の格納値の変化量が所与の閾値内であるか否かを判別する（ステップＳ４０）。
【００９８】
ステップＳ４０において、ステップＳ３８の処理後にバッファの格納値が更新前と更新
後で変化しなかったことを検出したとき、或いは更新前後の格納値の変化量が所与の閾値
以内であることが判別されたとき（ステップＳ４０：Ｎ）、調整パラメータ算出部２３６
は、ステップＳ３０、ステップＳ３２、ステップＳ３４、ステップＳ３６で求めた各プロ
ジェクタ用の調整パラメータは、その時点で求まった各プロジェクタ用の調整パラメータ
が最適値であると判断して一連の処理を終了する（エンド）。
【００９９】
一方、ステップＳ４０において、ステップＳ３８の処理後にバッファの格納値が更新前
と更新後で変化したことを検出したとき、或いは更新前後の格納値の変化量が所与の閾値
を超えたことが判別されたとき（ステップＳ４０：Ｙ）、調整パラメータ算出部２３６は
、ステップＳ３０、ステップＳ３２、ステップＳ３４、ステップＳ３６で求めた各プロジ
ェクタ用の調整パラメータは、その時点で求まった各プロジェクタ用の調整パラメータが
最適値ではないと判断して、ステップＳ３０に戻って、再び、第１のプロジェクタＰＪ１
用の調整パラメータの算出処理を行う。
【０１００】
なお、図１２では、第１〜第４のプロジェクタＰＪ１〜ＰＪ４の調整パラメータを算出
する際に、第１のプロジェクタＰＪ１から順番に調整パラメータの算出処理を開始するも
のとして説明したが、本実施形態は、これに限定されるものではなく、第１〜第４のプロ
ジェクタＰＪ１〜ＰＪ４の調整パラメータ算出処理の順序は、どのような順序であっても
よい。
【０１０１】
次に、図１２のステップＳ３０、ステップＳ３２、ステップＳ３４、ステップＳ３６に
ついて説明する。上述のように、ステップＳ３０、ステップＳ３２、ステップＳ３４、ス
テップＳ３６における各調整パラメータ算出処理は、調整対象の投射画像の測定点が異な
るのみで処理内容は同様であるため、以下では、ステップＳ３０の詳細な処理例について
説明する。
【０１０２】
図１３に、図１２のステップＳ３０の詳細な処理例のフロー図を示す。図６の画像調整
装置２００では、図１３に示す処理方法を実現するためのプログラムが図示しないメモリ
に格納されており、ＣＰＵが該メモリに格納されたプログラムを読み出して該プログラム
に対応した処理を実行することで、図１３に示す処理をソフトウェア処理により実現でき
る。なお、この画像調整装置２００の図示しないメモリには、図１２のステップＳ３２、
ステップＳ３４、ステップＳ３６の処理方法を実現するためのプログラムが格納される。
【０１０３】
まず、画像調整装置２００の画質調整制御部２３０における調整パラメータ算出部２３
６は、第１のプロジェクタＰＪ１用の調整パラメータの値を変動させる処理を行う（ステ
ップＳ５０）。例えば図１０に示すように、調整パラメータは、ＣＩＥＬＵＶ色空間の明
度及び色座標（Ｌ、Ｕ、Ｖ）であり、調整パラメータ算出部２３６は、ＣＩＥＬＵＶ色空
間の明度及び色座標（Ｌ、Ｕ、Ｖ）の各パラメータを、現在の値より「−１」、「０」、
「＋１」のいずれかだけ変動させる（例えば「−１」）。
【０１０４】
続いて、調整パラメータ算出部２３６は、ステップＳ５０による変動後の調整パラメー
タを用いた調整後における図８の測定点Ｐ１ａ、Ｐ１ｂの測定値を算出する（ステップＳ
５２）。
【０１０５】
そして、評価関数処理部２３４は、ステップＳ５２で算出した測定値を用いて、第１及
び第２の投射画像ＩＭＧ１、ＩＭＧ２の測定点Ｐ１ｂ、Ｐ２ｂ間における色差と、第１及
び第３の投射画像ＩＭＧ１、ＩＭＧ３の測定点Ｐ１ａ、Ｐ３ａ間における色差とを求める
（ステップＳ５４）。
【０１０６】
その後、ＣＩＥＬＵＶ色空間の明度及び色座標（Ｌ、Ｕ、Ｖ）の各パラメータを、現在
の値より次の変動分だけ変動させる（「−１」、「０」、「＋１」の中で次の変動分。例
えば「＋１」）とき（ステップＳ５６：Ｙ）、調整パラメータ算出部２３６は、ステップ
Ｓ５０に戻る。これにより、ＣＩＥＬＵＶ色空間の明度及び色座標（Ｌ、Ｕ、Ｖ）の各パ
ラメータを、それぞれ「−１」、「０」、「＋１」だけ変動後の複数の色差を求めること
ができる（３３種類）。
【０１０７】
一方、ステップＳ５６において、ＣＩＥＬＵＶ色空間の明度及び色座標（Ｌ、Ｕ、Ｖ）
の各パラメータを、それぞれ「−１」、「０」、「＋１」だけ変動させた後の色差を求め
ることができたとき（ステップＳ５６：Ｎ）、調整パラメータ算出部２３６は、ステップ
Ｓ５０〜ステップＳ５６で求めたすべての色差（３３種類）の中から最小値を選択し、該
最小値となる調整パラメータの組み合わせを決定し（ステップＳ５８）、一連の処理を終
了する（エンド）。
【０１０８】
図１４に、図１３の処理における測定点の説明図を示す。
図１５（Ａ）、図１５（Ｂ）、図１５（Ｃ）に、図１３の処理内容の説明図を示す。図
１５（Ａ）は、調整パラメータによる調整前の色空間上における測定点間の色差の説明図
を表す。図１５（Ｂ）は、本実施形態の比較例として、測定点間の色差を平均したときの
色空間上における測定点間の色差の説明図を表す。図１５（Ｃ）は、本実施形態において
測定点間の色差の総和が最小となるように調整したときの色空間上における測定点間の色
差の説明図を表す。図１５（Ａ）〜図１５（Ｃ）は、各測定点同士の色差を、例えばＬａ
＊ｂ＊色空間において、原点をＬ軸、ｘ軸をａ＊軸、ｙ軸をｂ＊軸とする座標系に模式的
に表したものである。
【０１０９】
図１４では、図８のスクリーンＳＣＲに投射された第１〜第４の投射画面ＩＭＧ１〜Ｉ
ＭＧ４を構成する各投射画像内の２点の測定点同士を結線し、スクリーンＳＣＲ上におけ
る同一投射画面内の測定点の関係を示している。このような図１４の８個の測定点（４組
の測定点）における色差を、図１５（Ａ）に示す色空間座標系に模式的に示すと、各測定
点同士を結ぶ直線のうち波線の長さが、測定点同士の色差に相当する。従って、図１５（
Ａ）の色空間座標系では、例えば各測定点の色度成分が１点に集約したときには各測定点
における色度成分が一致することを意味し、図１５（Ａ）に示す波線の合計の長さが最も
短いときに、第１〜第４の投射画像ＩＭＧ１〜ＩＭＧ４の測定点間の色差の総和が最小と
なる。
【０１１０】
ここで、比較例として、測定点間の色差を平均したときには、図１５（Ｂ）に示すよう
になり、波線の長さの合計が必ずしも短くならない。これに対して、本実施形態によれば
、図１５（Ｃ）に示すように、図１５（Ｂ）に比べて波線の長さの合計が短くなるため、
第１〜第４の投射画像ＩＭＧ１〜ＩＭＧ４の測定点間の色差の総和を最小とすることがで
きる。従って、評価関数として、調整後の測定点同士を結線する波線の長さの和を求める
関数を選び、その和の最小値を求めることで、非常に簡素な処理で、測定点間の色差の総
和が最小となるように各調整パラメータを決定することができるようになる。
【０１１１】
次に、図１１のステップＳ２８について説明する。
【０１１２】
図１６に、図１１のステップＳ２８の詳細な処理例のフロー図を示す。図６の画像調整
装置２００では、図１６に示す処理方法を実現するためのプログラムが図示しないメモリ
に格納されており、ＣＰＵが該メモリに格納されたプログラムを読み出して該プログラム
に対応した処理を実行することで、図１６に示す処理をソフトウェア処理により実現でき
る。
図１７（Ａ）、図１７（Ｂ）に、図１６の処理内容の説明図を示す。図１７（Ａ）は、
所与の階調において色空間上における測定点間の色差の説明図を表す。図１７（Ｂ）は、
５階調分の測定値の平均値の説明図を表す。図１７（Ａ）は、第ｉの階調における測定値
の平均値ＡＶＧｉを、例えばＬａ＊ｂ＊色空間において、原点をＬ軸、ｘ軸をａ＊軸、ｙ
軸をｂ＊軸とする座標系に模式的に表したものである。図１７（Ｂ）は、５階調分の測定
値の平均値を、例えばＬａ＊ｂ＊色空間において、原点をＬ軸、ｘ軸をａ＊軸、ｙ軸をｂ
＊軸とする座標系に模式的に表したものである。
【０１１３】
まず、画像調整装置２００の画質調整制御部２３０におけるグレー軸調整部２３４は、
各階調で調整後の測定値の平均値ＡＶＧｉを算出する（ステップＳ６０）。グレー軸調整
部２３４は、第ｉの階調において、例えば図１７（Ａ）に示すような第１〜第４の投射画
像ＩＭＧ１〜ＩＭＧ４内の合計８点の測定点における測定値を平均する。この結果、グレ
ー軸調整部２３４は、第ｉの階調において、図１７（Ａ）の星印で示す平均値ＡＶＧｉを
算出する。
【０１１４】
次に、グレー軸調整部２３４は、第１〜第Ｌの階調（例えば５階調）の全階調における
平均値の平均値ＡＶＧを算出する（ステップＳ６２）。即ち、図１７（Ｂ）に示すように
複数の階調を構成する各階調において平均値ＡＶＧ１〜ＡＶＧ５（Ｌが５のとき）が算出
されるので、グレー軸調整部２３４は、階調毎に求められた平均値ＡＶＧｉの平均値を求
める。
【０１１５】
そして、グレー軸調整部２３４は、各階調において、測定値の平均値ＡＶＧｉが、ステ
ップＳ６２で求めた平均値ＡＶＧとなるように、各階調の調整パラメータを調整し（ステ
ップＳ６４）、一連の処理を終了する（エンド）。例えば、グレー軸調整部２３４は、測
定点同士を結線する波線を平行移動させることで、色差の関係を維持しながら、平均値を
変更できる。こうすることで、測定値の平均値が階調毎に異なる場合に、明るさによって
グレーの色合いが変わるという事態を回避できるようになる。
【０１１６】
なお、図１６、図１７（Ａ）、図１７（Ｂ）では、測定値の平均値を求めるものとして
説明したが、本実施形態はこれに限定されるものではない。例えば、測定値の重心を求め
るようにしてもよい。
【０１１７】
以上のように、図１１〜図１７（Ａ）、図１７（Ｂ）で説明した処理によれば、各プロ
ジェクタ用の調整パラメータの最適値を算出することができる。そして、こうして求めた
最適値となった調整パラメータを各プロジェクタに一斉に送信させて、プロジェクタが、
調整パラメータに応じて投射画像の画面全体の輝度及び色度を調整することができる。こ
れにより、実施形態１によれば、複数の画像を構成する各画像に色むらがある場合に、複
数の画像の境界すべてにおいて色差を「０」にできなくても、複数の画像が並んで配置さ
れた表示画像の画質の劣化を抑えることができるようになる。また、隣り合う２つの投射
画像の輝度及び色度の調整を繰り返すことで最後の投射画像の調整が不可能になる事態を
回避して、このような事態であっても全体として全投射画像を並んで表示させた表示画像
の画質の低下を抑えることができるようになる。
【０１１８】
〔実施形態２〕
実施形態１では、測定点間の色差が最小となるように各プロジェクタの調整パラメータ
を算出していたが、本発明は、これに限定されるものではない。本発明に係る実施形態２
では、測定点間の色差の最大値が最小となるように各プロジェクタの調整パラメータを算
出する。
【０１１９】
このような実施形態２における画像表示システム、画像調整装置及び画像調整方法は、
実施形態１と同様であるため詳細な説明を省略するが、図５の評価関数処理部２３２又は
調整パラメータ算出部２３６において、図１３の処理中に色差の最大値が最小となるよう
に調整パラメータを算出すればよい。この場合、例えば図１５（Ａ）の測定点間を結ぶ波
線のうち、最も長い波線を短くするように調整パラメータが算出される。
【０１２０】
以上説明した実施形態２によれば、実施形態１と同様に、隣り合う２つの投射画像の輝
度及び色度の調整を繰り返すことで最後の投射画像の調整が不可能になる事態を回避して
、このような事態であっても全体として全投射画像を並んで表示させた表示画像の画質の
低下を抑えることができるようになる。
【０１２１】
〔実施形態３〕
実施形態１又は実施形態２では、隣り合う２つの画像それぞれの隣接領域内の端部の測
定点が１点であるものとして説明したが、本発明はこれに限定されるものではない。本発
明に係る実施形態３では、隣り合う２つの画像それぞれの隣接領域内の端部の測定点が複
数点であり、これらの測定点間の評価関数（より具体的には、色差の評価関数）の値が最
大又は最小となるように調整パラメータが算出される。
【０１２２】
図１８に、本発明に係る実施形態３の説明図を示す。図１８では、第１〜第４の投射画
像ＩＭＧ１〜ＩＭＧ４を正面から見たイメージを示している。図１８において、図８と同
一部分には同一符号を付し、適宜説明を省略する。
【０１２３】
即ち、測定データ解析部２２０（画像情報取得部）の機能により、複数の投射画像のう
ち隣り合う２つの投射画像それぞれの境界領域内の端部の複数の測定点を構成する各測定
点における色度成分に対応した画像情報を取得する。図１８では、隣り合う第１及び第２
の投射画像ＩＭＧ１、ＩＭＧ２については、第１の投射画像ＩＭＧ１の境界領域のうち第
２の投射画像ＩＭＧ２と隣接する境界領域（隣接領域）内の測定点Ｐ１ｂ１、Ｐ１ｂ２、
Ｐ１ａｂと、第２の投射画像ＩＭＧ２の境界領域のうち第１の投射画像ＩＭＧ１と隣接す
る境界領域（隣接領域）内の測定点Ｐ２ｂ１、Ｐ２ｂ２、Ｐ２ａｂにおける色度成分に対
応した画像情報が取得される。
【０１２４】
同様に、隣り合う第２及び第４の投射画像ＩＭＧ２、ＩＭＧ４については、第２の投射
画像ＩＭＧ２の境界領域のうち第４の投射画像ＩＭＧ４と隣接する境界領域（隣接領域）
内の測定点Ｐ２ａ１、Ｐ２ａ２、Ｐ２ａｂと、第４の投射画像ＩＭＧ４の境界領域のうち
第２の投射画像ＩＭＧ２と隣接する境界領域（隣接領域）内の測定点Ｐ４ａ１、Ｐ４ａ２
，Ｐ４ａｂにおける色度成分に対応した画像情報が取得される。
【０１２５】
更に、隣り合う第３及び第４の投射画像ＩＭＧ３、ＩＭＧ４については、第３の投射画
像ＩＭＧ３の境界領域のうち第４の投射画像ＩＭＧ４と隣接する境界領域（隣接領域）内
の測定点Ｐ３ｂ１、Ｐ３ｂ２、Ｐ３ａｂと、第４の投射画像ＩＭＧ４の境界領域のうち第
３の投射画像ＩＭＧ３と隣接する境界領域（隣接領域）内の測定点Ｐ４ｂ１、Ｐ４ｂ２、
Ｐ４ａｂにおける色度成分に対応した画像情報が取得される。
【０１２６】
更にまた、隣り合う第１及び第３の投射画像ＩＭＧ１、ＩＭＧ３については、第１の投
射画像ＩＭＧ１の境界領域のうち第３の投射画像ＩＭＧ３と隣接する境界領域（隣接領域
）内の測定点Ｐ１ａ１、Ｐ１ａ２、Ｐ１ａｂと、第３の投射画像ＩＭＧ３の境界領域のう
ち第１の投射画像ＩＭＧ１と隣接する境界領域（隣接領域）内の測定点Ｐ３ａ１、Ｐ３ａ
２、Ｐ３ａｂにおける色度成分に対応した画像情報が取得される。
【０１２７】
そして、画質調整制御ステップとして、画像調整装置２００では、画質調整制御部２３
０の機能により、測定データ解析部２２０からの画像情報を用いた評価関数に基づいて各
プロジェクタ用の調整パラメータを算出し、算出した調整パラメータを各プロジェクタに
送信する。
【０１２８】
即ち、実施形態３では、画像情報取得部は、複数の画像のうち隣り合う２つの画像それ
ぞれの隣接領域内の端部の複数の測定点における色度成分に対応した画像情報を取得し、
画質調整制御部は、画像情報取得部により取得された複数の測定点における画像情報に基
づいて複数の測定点間の色差の評価関数の値が最大又は最小となるように、複数の画像の
少なくとも１つの画質を調整する制御を行う。
【０１２９】
なお実施形態３では、実施形態１又は実施形態２と同様に、測定点間の色差の総和が最
小となるように調整パラメータを算出してもよいし、複数の測定点間の色差のうち色差の
最大値が最小となるように調整パラメータを算出するようにしてもよい。このような実施
形態３によれば、実施形態１又は実施形態２と比べて、より高精度に、複数の画像が並ん
で配置された表示画像の画質の劣化を抑えることができるようになる。
【０１３０】
なお、図１８では、各プロジェクタの調整パラメータを算出する際に、測定点Ｐ１ａｂ
、Ｐ４ａｂ間の色差の評価関数の値、及び測定点Ｐ２ａｂ、Ｐ３ａｂ間の色差の評価関数
の値の少なくとも１つについても考慮してもよい。こうすることで、より一層、高精度な
画質調整が可能となる。
【０１３１】
〔実施形態４〕
実施形態１〜実施形態３では、画像表示システムを構成するプロジェクタが図１に示す
ように、垂直方向及び水平方向に並ぶように投射画像を表示させる構成を例に説明したが
、本発明は、これに限定されるものではない。本発明に係る実施形態４における画像表示
システムは、垂直方向及び水平方向の少なくとも一方に並ぶ投射画像を表示させるもので
あってもよい。
【０１３２】
図１９に、本発明に係る実施形態４における画像表示システムとしてのマルチプレジェ
クタシステムの構成例を示す。図１９において、図１と同一部分には同一符号を付し、適
宜説明を省略する。
【０１３３】
実施形態４におけるマルチプロジェクタシステム４００は、第１〜第Ｎのプロジェクタ
ＰＪ１〜ＰＪＮと、画像調整装置２００と、画像測定部３００とを含む。第１〜第Ｎのプ
ロジェクタＰＪ１〜ＰＪＮは、スクリーンＳＣＲに画像を投射して第１〜第Ｎの投射画像
ＩＭＧ１〜ＩＭＧＮを表示させる。そして、第１〜第ＮのプロジェクタＰＪ１〜ＰＪＮを
構成する各プロジェクタによるスクリーンＳＣＲへの投射画像が隣り合うように並べて表
示させることで、画像を表示する。
【０１３４】
第１〜第Ｎの投射画像ＩＭＧ１〜ＩＭＧＮを構成する各投射画像は、互いに隣の画像と
その境界部が接するように表示されてもよいし、隣の画像と所与の間隔を置いて表示され
てもよい。また、図１９では、第１〜第Ｎの投射画像ＩＭＧ１〜ＩＭＧＮが、水平方向（
横方向、左右方向）のみに並んで表示されている例を示しているが、第１〜第Ｎの投射画
像ＩＭＧ１〜ＩＭＧＮが垂直方向のみに並んで表示されてもよい。
【０１３５】
第１〜第ＮのプロジェクタＰＪ１〜ＰＪＮは、それぞれ同様の構成を有してもよいが、
互いに異なる構成であってもよい。但し、第１〜第ＮのプロジェクタＰＪ１〜ＰＪＮを構
成する各プロジェクタは、画面全体の輝度及び色度を調整する機能を有する。
【０１３６】
実施形態１〜実施形態３のいずれかの実施形態と同様に、画像調整装置２００は、第１
〜第ＮのプロジェクタＰＪ１〜ＰＪＮにより投射された第１〜第Ｎの投射画像ＩＭＧ１〜
ＩＭＧＮの画像の輝度及び色度を調整する。そのため、画像調整装置２００は、画像の輝
度及び色度を調整する調整パラメータを算出して、第１〜第ＮのプロジェクタＰＪ１〜Ｐ
ＪＮの少なくとも１つに対して該調整パラメータを送信することができる。調整パラメー
タを受信したプロジェクタは、該調整パラメータに基づいて画面全体の輝度及び色度を調
整する。
【０１３７】
以上のようなマルチプロジェクタシステム４００では、画像調整装置２００において、
隣り合う２つの投射画像それぞれの隣接領域（境界領域）内の測定点（測定画素）におけ
る色度成分に対応した画像情報を取得し、測定点間の色差の評価関数の値が最大又は最小
となるように、第１〜第ＮのプロジェクタＰＪ１〜ＰＪＮの少なくとも１つを調整する制
御を行う。こうすることで、複数の画像が並んで配置された表示画像の画質の劣化を抑え
ることができるようになる。更に、各プロジェクタの投射画像に色むらがあり、隣り合う
２つの投射画像毎に画質を調整する場合に比べて、複数の投射画像間の色差をより小さく
でき、複数の投射画像による表示画像の画質の低下を抑えることができるようになる。
【０１３８】
実施形態４におけるマルチプロジェクタシステム４００を構成する各部は、実施形態１
と同様であるため詳細な説明を省略する。
【０１３９】
図２０に、実施形態４においてＮが２の場合の説明図を示す。図２０では、第１及び第
２の投射画像ＩＭＧ１、ＩＭＧ２を正面から見たイメージを示している。
【０１４０】
実施形態４において、Ｎが２のとき、測定データ解析部２２０（画像情報取得部）の機
能により、複数の投射画像のうち隣り合う２つの投射画像それぞれの境界領域内の端部の
測定点における色度成分に対応した画像情報を取得する。図２０では、隣り合う第１及び
第２の投射画像ＩＭＧ１、ＩＭＧ２については、第１の投射画像ＩＭＧ１の境界領域のう
ち第２の投射画像ＩＭＧ２と隣接する境界領域（隣接領域）内の測定点Ｐ１ｂ１、Ｐ１ｂ
２と、第２の投射画像ＩＭＧ２の境界領域のうち第１の投射画像ＩＭＧ１と隣接する境界
領域（隣接領域）内の測定点Ｐ２ｂ１、Ｐ２ｂ２における色度成分に対応した画像情報が
取得される。
【０１４１】
そして、画質調整制御ステップとして、画像調整装置２００では、画質調整制御部２３
０の機能により、測定データ解析部２２０からの画像情報を用いた評価関数に基づいて各
プロジェクタ用の調整パラメータを算出し、算出した調整パラメータを各プロジェクタに
送信する。
【０１４２】
即ち、実施形態４において、Ｎが２のときには、隣り合う２つの投射画像の隣接領域内
の複数の測定点における測定値を用いることで、測定点間の色差の評価関数の値が最大又
は最小となるように各プロジェクタの調整パラメータを算出することができる。
【０１４３】
以上説明した実施形態４によれば、実施形態１と同様に、隣り合う２つの投射画像の輝
度及び色度の調整を繰り返すことで最後の投射画像の調整が不可能になる事態を回避して
、このような事態であっても全体として全投射画像を並んで表示させた表示画像の画質の
低下を抑えることができるようになる。
【０１４４】
以上、本発明に係る画像調整装置、画像表示システム及び画像調整方法を上記の各実施
形態又はその変形例に基づいて説明したが、本発明は上記の各実施形態又はその変形例に
限定されるものではなく、その要旨を逸脱しない範囲において種々の態様において実施す
ることが可能であり、例えば次のような変形も可能である。
【０１４５】
（１）上記の各実施形態では、プロジェクタの外部に本発明に係る画像調整装置が設け
られていたが、マルチプロジェクタシステムを構成する複数のプロジェクタのいずれかに
、本発明に係る画像調整装置の機能を内蔵させてもよい。
【０１４６】
（２）上記の各実施形態では、プロジェクタを例に説明したが、本発明はこれに限定さ
れるものではない。例えば、本発明に係る画像調整装置による調整対象である画像表示装
置は、例えばＣＲＴ（Cathode Ray Tube）装置、液晶表示装置、ＬＥＤ（Light Emitting
Device）表示装置、プラズマディスプレイ装置、有機ＥＬディスプレイ装置等の画像表
示を行う装置全般に適用できる。
【０１４７】
（３）上記の各実施形態では、光変調素子（光変調部）としてライトバルブを用いるも
のとして説明したが、本発明はこれに限定されるものではない。光変調素子（光変調部）
として、例えばＤＬＰ（Digital Light Processing)（登録商標）、ＬＣＯＳ（Liquid Cr
ystal On Silicon)等を採用してもよい。
【０１４８】
（４）上記の各実施形態において、本発明を、画像調整装置、画像表示システム及び画
像調整方法として説明したが、本発明はこれに限定されるものではない。例えば、本発明
を実現するための画像調整方法の処理手順が記述されたプログラムや、該プログラムが記
録された記録媒体であってもよい。
【図面の簡単な説明】
【０１４９】
【図１】実施形態１におけるマルチプロジェクタシステムの構成例を示す図。
【図２】実施形態１におけるマルチプロジェクタシステムの構成例のブロック図。
【図３】図２の輝度色度調整部の構成例のブロック図。
【図４】図２の画像表示部の構成例を示す図。
【図５】図２の画質調整制御部の構成例のブロック図。
【図６】実施形態１におけるマルチプロジェクタシステムの原理的な構成を示す図。
【図７】図６の画像調整装置の処理例のフロー図。
【図８】図６の第１〜第４の投射画像の測定点の例を模式的に示す図。
【図９】画質調整制御部の調整パラメータ算出部の処理内容の説明図。
【図１０】調整パラメータ算出部における具体的な処理内容の説明図。
【図１１】図７のステップＳ１２の詳細な処理例のフロー図。
【図１２】図１１のステップＳ２２の詳細な処理例のフロー図。
【図１３】図１２のステップＳ３０の詳細な処理例のフロー図。
【図１４】図１３の処理における測定点の説明図。
【図１５】図１５（Ａ）、図１５（Ｂ）、図１５（Ｃ）は図１３の処理内容の説明図。
【図１６】図１１のステップＳ２８の詳細な処理例のフロー図。
【図１７】図１７（Ａ）、図１７（Ｂ）は図１６の処理内容の説明図。
【図１８】実施形態３の説明図。
【図１９】実施形態４におけるマルチプレジェクタシステムの構成例を示す図。
【図２０】実施形態４においてＮが２の場合の説明図。
【符号の説明】
【０１５０】
１０,４００…マルチプロジェクタシステム、  １００…画像表示部、  １１０…光源、
１１２，１１４…インテグレータレンズ、  １１６…偏光変換素子、
１１８…重畳レンズ、  １２０Ｒ…Ｒ用ダイクロイックミラー、
１２０Ｇ…Ｇ用ダイクロイックミラー、  １２２，１４８，１５０…反射ミラー、
１２４Ｒ…Ｒ用フィールドレンズ、  １２４Ｇ…Ｇ用フィールドレンズ、
１３０Ｒ…Ｒ用液晶パネル、  １３０Ｇ…Ｇ用液晶パネル、
１３０Ｂ…Ｂ用液晶パネル、  １４０…リレー光学系、
１４２，１４４，１４６…リレーレンズ、  １６０…クロスダイクロイックプリズム、
１７０…投射レンズ、  １８０…輝度色度調整部、  １８２…調整パラメータ記憶部、
１８４…信号変換部、  １９０…画像データ入力部、  ２００…画像調整装置、
２１０…画像データ生成部、  ２２０…測定データ解析部、  ２３０…画質調整制御部、
２３２…評価関数処理部、  ２３４…グレー軸調整部、
２３６…調整パラメータ算出部、  ３００…画像測定部、
ＩＭＧ１〜ＩＭＧＮ…第１〜第Ｎの投射画像、
ＰＪ１〜ＰＪＮ…第１〜第Ｎのプロジェクタ、  ＳＣＲ…スクリーン
【図１】
2009237240.tif 000003
【図２】
2009237240.tif 000004
【図３】
2009237240.tif 000005
【図４】
2009237240.tif 000006
【図５】
2009237240.tif 000007
【図６】
2009237240.tif 000008
【図７】
2009237240.tif 000009
【図８】
2009237240.tif 000010
【図９】
2009237240.tif 000011
【図１０】
2009237240.tif 000012
【図１１】
2009237240.tif 000013
【図１２】
2009237240.tif 000014
【図１３】
2009237240.tif 000015
【図１４】
2009237240.tif 000016
【図１５】
2009237240.tif 000017
【図１６】
2009237240.tif 000018
【図１７】
2009237240.tif 000019
【図１８】
2009237240.tif 000020
【図１９】
2009237240.tif 000021
【図２０】
2009237240.tif 000022